(57)【要約】【課題】衛生的にトイレ空間を装飾するための手段であって、１つのトイレ空間で、従来ない多様な空間デザインを創出できるものを提供すること。【解決手段】本考案のシールセットは、少なくとも、洋式トイレの蓋の曲縁に沿う略弧形状のシール片（２、２’）と短形状のシール片と（３、３’、３”）を含み、各シール片が、そのシール台紙１への付着面に粘着層を有し、当該粘着層が多数の小凸部を有し、これら小凸部が実質的に同じ突出高さに形成されており、各シール片における、シール台紙による被着面と反対側の面に、絵画、写真、版画、文字等の原作品のレプリカが印刷により形成されていることを特徴とする。【選択図】図１
0003141729.tif 000002
【実用新案登録請求の範囲】
【請求項１】
シール台紙と、このシール台紙に、当該シール台紙から剥離可能に接着された複数枚のシール片と、から成り、
前記複数枚のシール片が、洋式トイレの蓋の曲縁に沿う略弧形状のシール片と、短形状のシール片とを含み、
前記各シール片が、当該シール片の前記シール台紙への付着面に粘着層を有し、この粘着層が多数の小凸部を有し、これら小凸部が実質的に同じ突出高さに形成されており、前記シール台紙が、当該シール台紙の前記シール片による被着面に、前記小凸部と相補完する形状の多数の小凹部を有し、
前記各シール片における前記付着面と反対側の面に、絵画、写真、版画および文字の少なくともいずれかのレプリカが、印刷により形成されており、かつ、当該シール片における前記付着面と反対側の面の最も外側に、透明のプラスチックフィルムがラミネートされていることを特徴とするトイレ空間を装飾するためのシールセット。
【請求項２】
前記レプリカが、アクリル絵具および油絵具の少なくともいずれかで描かれた絵画のレプリカであり、当該レプリカが、シルクスクリーン印刷で形成された淡色の色彩の部分と、オフセット印刷で形成された濃色の色彩の部分を含むことを特徴とする請求項１に記載のシールセット。
【請求項３】
前記略弧形状のシール片として、１対の、互いに略鏡像の形状を有する前記略弧形状のシール片を含み、当該１対の略弧形状のシール片におけるレプリカが、当該シール片の略弧形状に沿って絵柄を略弧状に配置した同調のデザインを有し、かつ、前記短形状のシール片として、前記１対の略弧形状のシール片における前記レプリカと同調のデザインのレプリカを有するものを含むことを特徴とする請求項１または請求項２に記載のシールセット。
【請求項４】
前記小凸部の突出高さが３μｍ〜１００μｍに形成されていることを特徴とする請求項１〜３のいずれか１項に記載のシールセット。
【考案の詳細な説明】
【技術分野】
【０００１】
本考案は、着脱が容易で衛生的な、トイレ空間を多様に装飾できるシールセットに関するものである。
【背景技術】
【０００２】
トイレ空間の装飾は、衛生上の観点から、トイレ本体の蓋や便座等の使用者の身体に接触する箇所を避けて、例えばトイレ空間の壁面や隅部等に造花や額等を配置する等により為されることが一般的である。他方、家庭では、トイレ本体の蓋に、意匠性のあるカバーを被せて装飾する場合があるが、かかるカバーを用いて創出できる空間デザインは限られる。
【０００３】
ところで、特に家庭で、デザイン性のあるシールを壁や家具の表面に貼り付けて空間を装飾する試みがよくなされている。しかし、ことトイレ空間に関しては、シールの粘着剤や、シールを取り外した後の粘着剤の残滓等に雑菌が付着する等により、不衛生になることから、トイレ本体にシールを貼り付けることは回避される。また、特にホテルや百貨店等の不特定の人が利用するトイレでは、衛生基準がより厳格であることから、トイレ本体にシールを貼り付けて装飾し、トイレ空間をデザインする発想は無く、かかるトイレ本体は従来無味乾燥であり、トイレ空間にデザインが施されている場合は、壁紙等によることが多く、固定された印象しか呈し得ないことが殆どである。
【考案の開示】
【考案が解決しようとする課題】
【０００４】
本考案は、衛生的にトイレ空間を装飾するための手段であって、１つのトイレ空間で、従来ない多様な空間デザインを創出できるものを提供することを課題としてなされたものである。
【課題を解決するための手段】
【０００５】
本考案のシールセットは、シール台紙と、このシール台紙に、当該シール台紙から剥離可能に接着された複数枚のシール片と、から成り、前記複数枚のシール片が、洋式トイレの蓋の曲縁に沿う略弧形状のシール片と、短形状のシール片とを含み、前記各シール片が、その前記シール台紙への付着面に粘着層を有し、当該粘着層が多数の小凸部を有し、これら小凸部が実質的に同じ突出高さに形成されており、前記シール台紙が、その前記シール片による被着面に、前記小凸部と相補完する形状の多数の小凹部を有し、前記各シール片の、前記付着面と反対側の面に、絵画、写真、版画および文字の少なくともいずれかのレプリカが、印刷により形成されており、かつ、当該シール片の前記付着面と反対側の面の最も外側に、透明のプラスチックフィルムがラミネートされていることを特徴とする。  
【０００６】
ここで、本明細書中、「レプリカ」とは、絵画、写真、版画および文字の少なくともいずれかの原作品の複製を意味し、前記原作品の全体的な複製のみならず、前記原作品の部分的な複製をも含む。本考案のシールシートを構成するレプリカは、原作品をできるだけ忠実に、即ち、原作品の構図や色調のみならず、原作品の表面の凹凸感をも再現して、あたかも原作品そのものであるかのような外観を有するものが好ましい。
【０００７】
本考案のシールセットは、例えば、前記略弧形状のシール片を洋式トイレの蓋の曲縁に沿って貼り付け、前記短形状のシール片を適宜、トイレ本体やトイレ本体近傍箇所に貼り付けて、容易に、トイレ空間を全体として纏まった意匠性の高いデザイン空間に作り上げることができるものであり、取り外しが容易で１つのトイレ空間を多様に装飾でき、シール片に前記レプリカが印刷により形成されていることにより、従来ない高い意匠性の装飾デザインをトイレ空間に付与できるものである。
【０００８】
前記略弧形状のシール片は、例えば洋式トイレの蓋の曲縁に沿って概ね弧を描く形状のものであればよく、外見上明らかな弧形状を有していてもよいし、前記レプリカのデザインとの関係で、弧形状に対して若干変形が加わった形状を有していてもよい。
前記短形状のシール片は、例えばトイレ本体やトイレ本体の近傍に配置される紙巻器や汚物入れ等のトイレ用品に貼り付けることができるコンパクトな形状のものであればよく、例えば、丸型、正方形型、およびこれら変形形状を有する。なお、本明細書中、「トイレ本体」とは、便器と、これに一体化された備品、例えば便座や蓋と、から成る用具を意味し、例えば、便器にトイレタンクが一体化されているタンクレスタイプの用具では、トイレタンクは「トイレ本体」の一部であり、便器とトイレタンクが別に存在するセパレートタイプの用具では、トイレタンクはトイレ本体とは別個のトイレ用品に含まれる。本考案のシールセットは、前記略弧形状および前記短形状以外の形状のシール片を含んでもよい。
【０００９】
前記各シール片は、シール台紙への付着面に前記小凸部を有することにより、前記シール台紙から剥離して、粘着層を立体物、例えば、上下方向に薄い洋式トイレの蓋あるいは紙巻器のカバーやトイレタンクの表面等に貼り付けた場合、当該各小凸部の先端が前記立体物の表面に密着すると同時に、粘着層における前記小凸部を除く部分と前記立体物の表面の間に隙間が生じ、この隙間から空気を外部に抜くことができ、シール片を前記立体物に、皺を生じることなくピタリと貼り付けることができ、しかも、前記小凸部の先端と粘着層における他の部分の間で、前記小凸部の突出高さに基づき、立体物の表面に対する接着力に差が生じることから、粘着層が立体物の表面に固着することなく、シール片を当該立体物の表面から容易に取り外すことができる。また、シール本体を前記立体物の表面に軽く貼り付けた場合には、粘着層の密着面積が小さいことから貼り付ける場所を間違えても再び剥がして張り直すことが容易である。前記シール台紙およびシール片は、各々、例えば合成樹脂や紙から作成でき、例えば、前記小凸部が３μｍ〜１００μｍの突出高さを有する粘着加工シート、特に、実用新案登録第２５０３７１７号に記載のものを用いて適切に作成できる。
【００１０】
原作品の質感をも忠実に再現した前記好ましいレプリカは、例えば、原作品を高性能の立体スキャナーでデジタル処理し、得られたデータを用い、印刷機を用いて、好ましくはシルクスクリーン印刷とオフセット印刷を併用して、前記シール片に適宜形成することができる。例えば原作品として、アクリル絵具や油絵具で描かれた、表面に絵具の凹凸のある絵画を利用する場合、レプリカにおいて、原画の淡色系の色彩の部分に対応する部分をシルクスクリーン印刷で、原画の濃色系の色彩の部分に対応する部分をオフセット印刷で、好ましくは、いずれも紫外線硬化型インキを用いて形成することにより、レプリカにおいて原画の絵具の凹凸感を再現でき、かかるレプリカが形成された前記各シール片は、トイレ空間において従来ない高い意匠性を発揮する。
なお、前記シール片は、防水・衛生の観点から、そのシール台紙への付着面と反対側の面の最も外側に、透明のプラスチックフィルムがラミネートされることが好ましく、かかるラミネートは常法により適宜為すことができる。
【考案の効果】
【００１１】
本考案のシールセットは、各シール片をトイレの蓋やトイレ本体近傍箇所に対して容易に取り付けることができ、しかもシール片を簡単に取り外しできるものであり、衛生的でトイレ空間を装飾するのに適している。前記シール片はトイレ空間で従来ない斬新な意匠性を発揮し、本考案のシールセットによれば、従来ない斬新なデザインをトイレ空間で創出できる。本考案のシールシートによれば、例えば、ホテルや百貨店等において、多様なデザインのトイレ空間を自在に創出して利用者に提供することが可能となり、また、家庭でも、気分や状況に応じてトイレ空間を多様に模様替えすることが可能となる。
【実施例】
【００１２】
以下、本考案の好ましい態様を実施例を用いて説明するが、かかる実施例は本考案を限定するものではない。
[実施例]
図１に平面図を示す本実施例のシールセットは、シール台紙１と、シール台紙１に剥離可能に接着された複数枚のシール片、即ち、洋式トイレの蓋の曲縁に沿う１対の、互いに略鏡像の略弧形状のシール片（２、２’）と、短形状のシール片（３、３’、３”）とを含む５枚のシール片から成る。
本考案のシールセットは、粘着加工シート（日栄加工株式会社製、ＭＡＴＲＩＸ 透明５０−ＰＭＸ３）を用いて作成されたものである。図２Ａに、各シール片（２、２’、３、３’、３”）のシール台紙１への付着面の部分平面図を、図２Ｂに、図２Ａに示す付着面に対応するシール台紙１の被着面の部分平面図を、図２Ｃに、本実施例のシールセットの、図１におけるＩ−Ｉ間の断面図を示す。
各シール片は、図２Ｃに示すように、透明のプラスチック製シート４から成り、そのシール台紙１への付着面に、多数の小凸部６を有する粘着層５を有する。なお、これら小凸部６は、実質的に同じ突出高さｈ（約２０μｍ）に形成されている。かかる構成により、シール片（２、２’、３、３’、３”）は、例えば、洋式トイレの蓋や紙巻器のカバーやトイレタンクといった立体物の表面に、皺を生じることなくピタリと貼り付けることができ、また、貼り付けられた立体物の表面から、粘着層５の残滓を立体物の表面に残すことなく容易に取り外すことができる。シール台紙１は、シール片（２、２’、３、３’、３”）による被着面に、シール片の小凸部６と相補完する形状の多数の小凹部７を有し、安定にシール片（２、２’、３、３’、３”）を仮着する。
【００１３】
各シール片（２、２’、３、３’、３”）は、そのシール台紙１への付着面と反対側の面に、原画、即ち、アクリル絵具を用いて描かれた絵画−この表面にはアクリル絵具の凹凸が認められる−のレプリカ（絵柄αから成るもの）が、印刷により形成されている。このレプリカは、原画を、立体スキャナー（ニューリー株式会社製、品名・型番−A1-FINE SCAMERA MACH-U 2360）を用いてデジタル処理し、得られたデジタル画像を用いて、シルクスクリーン印刷機（株式会社 桜井グラフィックシステムズ製、品名・型番−シリンダープレス マエストロ 102）とオフセット印刷機（ハイデルベルグジャパン 株式会社製、品名・型番−スピードマスター ＣＤ74）とを併用し、シルクスクリーン用の紫外線硬化型インキ（十条ケミカル 株式会社製、品名・品番−レイキュア Ｍ4701Ｍ（白））とオフセット用の紫外線硬化型インキ（株式会社 Ｔ＆Ｋ ＴＯＫＡ製、品名・品番−ベストキュアー ＵＶ161シリーズ）を用いて形成されたものである。レプリカにおける淡色（本実施例では、白色）の部分８は、主としてシルクスクリーン印刷で印刷されており、濃色（本実施例では、濃桃色、桃色、黄色、緑等）の部分９は主としてオフセット印刷で印刷されており、レプリカは、このようにシルクスクリーン印刷で印刷された部分８とオフセット印刷で印刷された部分９を含むことにより、原画表面のアクリル絵具の凹凸をも忠実に再現した外観を呈し、非常に斬新な、高い意匠性を示す。なお、シール片（２、２’、３、３’、３”）の、シール台紙１への付着面と反対側の面の最も外側は、透明のプラスチックフィルム１０でラミネートされている。
【００１４】
本実施例では、１対の略弧形状のシール片（２、２’）に形成されたレプリカは、花と葉の絵柄が当該シール片の略弧形状に沿って略弧状に配置された同調のデザインを有し、また、短形状のシール片（３、３’、３”）に形成されたレプリカは、略弧形状のシール片（２、２’）のレプリカと実質的に同じ絵柄から成り、略弧形状のシール片（２、２’）のレプリカと同調のデザインを有する。
【００１５】
本実施例のシールセットは、例えば、洋式トイレの蓋のＵ字曲折部の左右両側に、略弧形状のシール片（２、２’）を、略左右対称配置で貼着すると共に、短形状のシール片をトイレタンクや紙巻器のカバーの表面に貼り付けて使用できる。このようにシール片（２、２’、３、３’、３”）が貼り付けられたトイレ空間では、まず、トイレ本体の蓋に左右対称的に貼り付けられたシール片（２、２’）が、トイレ空間に入ってきた利用者の目に印象付けられ、次いで、紙巻器を利用する際や水を流す際等に確実に、シール片（２、２’）と同調のデザインのシール片（３、３’、３”）が利用者の目に触れる結果、利用者は、纏まったデザインの上質空間に居る印象を受け、快適にトイレ空間を利用できる。
このように、本考案のシールセットによれば、誰しも容易にトイレ空間を、全体として非常に纏まった印象の、従来ない高い意匠性のデザイン空間に作り上げることができ、心地よいトイレ空間を自在に提供することが可能となる。
【図面の簡単な説明】
【００１６】
【図１】図１は、本考案のシールセットの一具体例を示す平面図である。
【図２】図２は、本考案のシールセットを構成するシール片およびシール台紙の構造を示す図であり、Ａは、シール片の、シール台紙への付着面の部分平面図を示し、Ｂは、Ａに示すシール片の付着面に対応するシール台紙の被着面の部分平面図を示し、Ｃは、図１に示す本考案のシールセットのＩ−Ｉ間の断面図を示す。
【符号の説明】
【００１７】
１  シール台紙
２、２’、３、３’、３”  シール片
４  透明のプラスチック製シート
５  粘着層
６  小凸部
７  小凹部
８  淡色の部分
９  濃色の部分
１０  透明のプラスチックフィルム
ｈ  小凸部の突出高さ
α  絵柄
【図２】
0003141729.tif 000003
【図１】
0003141729.tif 000004